(57)【要約】【課題】タイルにタイル取付具を簡単、かつ緩みやガタが生じることなくしっかりと取り付け、タイルを建物の構造壁面に強固に取り付ける。【解決手段】建物の構造壁面２に固定される取付板６に、タイル７の裏面１２に形成された係合溝８に係合して取り付けられるタイル取付具１１のフック部１８を引っ掛けて、タイル７を建物の構造壁面２に固定したタイルの取付構造１において、タイル７の裏面１２から斜め上方に向け傾斜して深くなるタイルの上側係合溝４２及び下側係合溝４３４３に、それぞれ取付具本体１７の上端部が斜め上方に向けて屈曲して形成された上側係合部２１及び下側係合部２６を係合させ、下側係合部２６には、係止用係合片と弾接用係合片を形成する。【選択図】図１
2013124488.tif 000002
【特許請求の範囲】
【請求項１】
建物の構造壁面に固定される取付板と、タイルの裏面に形成された係合溝に係合して取り付けられるタイル取付具とを備え、タイル取付具が、取付板に引っ掛けられてタイルが建物の構造壁面に固定されて成るタイルの取付構造であって、
タイルの係合溝は、互いに上下方向に間隔をおき、タイルの横幅方向に伸びるように形成された上側係合溝と下側係合溝を有し、
上側係合溝及び下側係合溝は、それぞれタイルの裏面から斜め上方に向け傾斜して深くなるように形成されており、
タイル取付具は、板状の取付具本体と取付板に引っ掛けるフック部から成り、
取付具本体は、タイルの上側係合溝に係合する上側係合部とタイルの下側係合溝に係合する下側係合部を有し、                                                 
上側係合部は、取付具本体の上端部が斜め上方に向けて屈曲して形成された傾斜片から成り、    
下側係合部は、取付具本体の下端部が、上方に向けて折り返されて形成された折返し片から成り、
傾斜片又は折返し片は、取付具本体の上端部又は下端部が上下方向に切り込みが入れられ、さらに曲げられて複数形成されており、
該複数の傾斜片又は折返し片は、その一部の片は、上側係合溝又は下側係合溝に沿うような係合用の片として形成されており、該複数の片の残りの片は、上側係合溝又は下側係合溝に弾力的に当接するような角度で曲げられた弾接用の片として形成されている構成であることを特徴とするタイルの取付構造。
【請求項２】
建物の構造壁面に固定される取付板と、タイルの裏面に形成された係合溝に係合して取り付けられるタイル取付具とを備え、タイル取付具が、取付板に引っ掛けられてタイルが建物の構造壁面に固定されて成るタイルの取付構造であって、
タイルの係合溝は、互いに上下方向に間隔をおき、タイルの横幅方向に伸びるように形成された上側係合溝と下側係合溝を有し、
上側係合溝及び下側係合溝は、それぞれタイルの裏面から斜め上方に向け傾斜して深くなるように形成されており、
タイル取付具は、板状の取付具本体と取付板に引っ掛けるフック部から成り、
取付具本体は、タイルの上側係合溝に係合する上側係合部とタイルの下側係合溝に係合する下側係合部を有し、
上側係合部は、取付具本体の上端部が斜め上方に向けて屈曲して形成された傾斜片から成り、    
下側係合部は、取付具本体の下端部が、上下方向に切り込みが入れられ、さらに斜め上方に向けてフック状に折り返されて形成された係合用折返し片と弾接用折返し片から成り、
係合用折返し片と取付具本体のなす角度である係合用折返し片の折返し角度は、タイルの裏面と下側係合溝のなす角度とほぼ同じに形成され、係合用折返し片が下側係合溝に沿うように構成されており、
弾接用折返し片と取付具本体のなす角度である弾接用折返し片の折返し角度は、係合用折返し片の折返し角度より大きく形成されており、下側係合溝の下面に弾力的に当接するように構成されていることを特徴とするタイルの取付構造。
【請求項３】
上下方向に入れられた切り込みは、取付具本体の下端部の横幅方向に間隔をおいて複数本形成され、２以上の係合用折返し片と１以上の弾接用折返し片が形成されていることを特徴とする請求項２に記載のタイルの取付構造。
【請求項４】
係合用折返し片と弾接用折返し片は、下側係合部の横幅方向に交互に形成されていることを特徴とする請求項２又は３に記載のタイルの取付構造。
【請求項５】
上側係合部は、その左右両端のコーナーが、それぞれ斜め上方に向けて折り返され、コーナー折返し部が形成されており、該コーナー折返し部が上側係合溝の上面に弾力的に当接するように構成されていることを特徴とする請求項２〜４のいずれかに記載のタイルの取付構造。
【請求項６】
上側係合部は、取付具本体の上端部が上下方向に切り込みが入れられ、係合用傾斜片と弾接用傾斜片から成り、
係合用傾斜片と取付具本体の上方への延長線のなす角度である係合用傾斜片の傾斜角度は、タイルの裏面と上側係合溝のなす角度とほぼ同じに形成され、係合用傾斜片が上側係合溝に沿うように構成されており、
弾接用傾斜片と取付具本体の上方への延長線のなす角度である弾接用傾斜片の傾斜角度は、係合用傾斜片の傾斜角度より大きく形成されており、上側係合溝の下面に弾力的に当接するように構成されていることを特徴とする請求項２〜５のいずれかに記載のタイルの取付構造。
【請求項７】
建物の構造壁面に固定される取付板と、タイルの裏面に形成された係合溝に係合して取り付けられるタイル取付具とを備え、タイル取付具が、取付板に引っ掛けられてタイルが建物の構造壁面に固定されて成るタイルの取付構造であって、
タイルの係合溝は、互いに上下方向に間隔をおき、タイルの横幅方向に伸びるように形成された上側係合溝と下側係合溝を有し、
上側係合溝及び下側係合溝は、それぞれタイルの裏面から斜め上方に向け傾斜して深くなるように形成されており、
タイル取付具は、板状の取付具本体と取付板に引っ掛けるフック部から成り、
取付具本体は、タイルの上側係合溝と係合する上側係合部とタイルの下側係合溝と係合する下側係合部を有し、
上側係合部は、取付具本体の上端部が上下方向に切り込みが入れられ、さらに斜め上方に向けて屈曲されて形成された係合用傾斜片と弾接用傾斜片から成り、
係合用傾斜片と取付具本体の上方への延長線のなす角度である係合用傾斜片の傾斜角度は、タイルの裏面と上側係合溝のなす角度とほぼ同じに形成され、係合用傾斜片が上側係合溝に沿うように構成されており、
弾接用傾斜片と取付具本体の上方への延長線のなす角度である弾接用傾斜片の傾斜角度は、係合用傾斜片の傾斜角度より大きく形成されており、上側係合溝の下面に弾力的に当接するように構成されており、
下側係合部は、取付具本体の下端部が、斜め上方に向けてフック状に折り返されて形成された折返し部から成ることを特徴とするタイルの取付構造。
【請求項８】
取付板の下端には上方に折り返された受け部を有し、該受け部の上端には下方に向けて折り返された係止部が形成されており、タイル取付具のフック部の下端には上方に折り返された係合部が形成されており、タイル取付具のフック部を取付板の受け部に挿入し係合部を係止部に係脱可能であることを特徴とする請求項１〜７のいずれかに記載のタイルの取付構造。
【請求項９】
板状の取付具本体と取付板に引っ掛けるフック部から成り、取付具本体をタイルの裏面に斜め上方に向け、かつタイルの横幅方向に伸びるように形成された上側係合溝と下側係合溝に係合してタイルに取り付け、フック部を建物の構造壁面に固定される取付板に引っ掛けることで、タイルを建物の構造壁面に固定するタイル取付具であって、
取付具本体は、タイルの上側係合溝に係合する上側係合部とタイルの下側係合溝に係合する下側係合部を有し、                                                 
上側係合部は、取付具本体の上端部が斜め上方に向けて屈曲して形成された傾斜片から成り、    
下側係合部は、取付具本体の下端部が、上方に向けて折り返されて形成された折返し片から成り、
傾斜片又は折返し片は、取付具本体の上端部又は下端部が上下方向に切り込みが入れられ、さらに曲げられて複数形成されており、
複数の傾斜片又は折返し片は、その一部の片は、上側係合溝又は下側係合溝に沿うような係合用の片として形成されており、複数の片の残りの片は、上側係合溝又は下側係合溝に弾力的に当接するような角度で曲げられて弾接用の片として形成されている構成であることを特徴とするタイルの取付具。
【請求項１０】
板状の取付具本体と取付板に引っ掛けるフック部から成り、取付具本体をタイルの裏面に斜め上方に向け、かつタイルの横幅方向に伸びるように形成された上側係合溝と下側係合溝に係合してタイルに取り付け、フック部を建物の構造壁面に固定される取付板に引っ掛けることで、タイルを建物の構造壁面に固定するタイル取付具であって、
取付具本体は、タイルの上側係合溝と係合する上側係合部とタイルの下側係合溝と係合する下側係合部を有し、
上側係合部は、取付具本体の上端部が斜め上方に向けて屈曲して形成された傾斜片から成り、    
下側係合部は、取付具本体の下端部が、上下方向に切り込みが入れられ、かつ斜め上方に向けてフック状に折り返されて形成された係合用折返し片と弾接用折返し片から成り、
係合用折返し片と取付具本体のなす角度である係合用折返し片の折返し角度は、タイルの裏面と下側係合溝のなす角度とほぼ同じに形成され、係合用折返し片が下側係合溝に沿うように構成されており、
弾接用折返し片と取付具本体のなす角度である弾接用折返し片の折返し角度は、係合用折返し片の折返し角度より大きく形成されており、下側係合溝の下面に弾力的に当接するように構成されていることを特徴とするタイル取付具。
【請求項１１】
上側係合部は、その左右両端のコーナーが、それぞれ斜め上方に向けて折り返され、コーナー折返し部が形成されており、該コーナー折返し部が上側係合溝の上面に弾力的に当接可能であることを特徴とする請求項１０に記載のタイル取付具。
【請求項１２】
板状の取付具本体と取付板に引っ掛けるフック部から成り、取付具本体をタイルの裏面に斜め上方に向け傾斜して深くなり、かつタイルの横幅方向に伸びるように形成された上側係合溝と下側係合溝に係合してタイルに取り付け、フック部を建物の構造壁面に固定される取付板に引っ掛けることで、タイルを建物の構造壁面に固定するタイル取付具であって、
タイル取付具は、板状の取付具本体と取付板に引っ掛けるフック部から成り、
取付具本体は、タイルの上側係合溝と係合する上側係合部とタイルの下側係合溝と係合する下側係合部を有し、
上側係合部は、取付具本体の上端部が上下方向に切り込みが入れられ、さらに斜め上方に向けて屈曲されて形成された係合用傾斜片と弾接用傾斜片から成り、
係合用傾斜片と取付具本体の上方への延長線のなす角度である係合用傾斜片の傾斜角度は、タイルの裏面と上側係合溝のなす角度とほぼ同じに形成され、係合用傾斜片が上側係合溝に沿うように構成されており、
弾接用傾斜片と取付具本体の上方への延長線のなす角度である弾接用傾斜片の傾斜角度は、係合用傾斜片の傾斜角度より大きく形成されており、上側係合溝の下面に弾力的に当接するように構成されており、                          
下側係合部は、取付具本体の下端部が、斜め上方に向けてフック状に折り返されて形成された折返し片から成ることを特徴とするタイル取付具。
【請求項１３】
タイル取付具のフック部は、タイル取付具本体に固着されていることを特徴とする請求項９〜１２のいずれかに記載のタイル取付具。
【請求項１４】
タイル取付具のフック部は、タイル取付具本体の一部が平面視で凹型に切り込まれて切り込み部が形成されており、該切り込み部が屈曲されてタイル取付具本体と一体で形成されていることを特徴とする請求項９〜１２のいずれかに記載のタイル取付具。
【発明の詳細な説明】
【技術分野】
【０００１】
本発明は、タイルの取付構造及びタイル取付具に関し、特に、建物のコンクリート等の構造壁面にタイルを取り付けるタイルの取付構造及びタイル取付具に関する。
【背景技術】
【０００２】
従来、タイルを、建物のコンクリート等の構造壁面に取り付ける取付手段として、通常は、タイルの裏面に溝を形成し、タイルの裏面と構造壁面との間に、タイルの裏面の溝内も含め、モルタル等の接着材料を充填し、タイルを構造壁面に接着することが行われていた（特許文献１参照）。
【０００３】
また、別の取付手段として、タイルの裏面に取付孔を形成し、この取付孔に、取付部材を挿入し、この取付部材に取付ボルトを螺着して、このボルトによって支持金具等を介してコンクリート等の構造壁面に取り付ける取付構造が知られている。
【０００４】
このような取付構造の具体的な従来例として、大型タイルの裏面に形成され底部に開拡状の係合凹部を有する取付孔に、割り溝を有する留め部材を挿入し、留め部材の内径部に取付ボルトをねじ込み、留め部材を開拡して係合凹部に係合させて保持し、大型タイルに取付金具を取り付ける構造が知られている（特許文献２参照）。
【０００５】
磁器質タイル等の壁面材の裏面に形成され底部に開拡状の係止部を有する取付孔に、スリット状の溝部を有する胴部を挿入し、胴部にねじ部材をねじ込み開拡して、胴部の先端側の凸部を係止部に係合させて保持し、壁面材に吊持金具を取り付ける構造が知られている（特許文献３）。
【０００６】
大型タイルの裏面に形成され底部に拡径部を有する取付孔に、割り溝を有するアンカーナットを挿入し、アンカーナットに座付ボルトをねじ込み、アンカーナットの拡径部を開拡して取付孔の底部に係合させて保持し、大型タイルに固定金具を取り付ける構造が知られている（特許文献４参照）。
【０００７】
タイルの裏面に形成され奥部に広がった底部を有する取付孔に、割溝を有する取付部材を挿入し、取付部材の内径部に固定ピンをねじ込み、取付部材を開拡して保持し、タイルに取付部材を取り付ける構造が知られている（特許文献５参照）。
【０００８】
さらに別の取り付け手段として、タイルの裏面に溝を形成し、この溝に取付具の一部を差し込んで取り付け、この取付具を介して建物の構造壁面に固定するタイルの取付構造が知られている。
【０００９】
例えば、タイルの裏面に縦断面形状がアリ状の保持溝を幅方向に刻み込み、壁に固定された取付け部材に連結するための固定具を保持溝の側部から差し込み、この固定具を保持溝の最奥部の底部面及びその上下に位置して背部方向にテーパ収斂する係合面に当てる３面拘束としてタイルに接合する構成が知られている（特許文献６参照）。
【００１０】
また、水平方向に複数条のタイル掛止部を設け金属板を建物の躯体壁面にビス留めして、これらの掛止部に、裏面に溝の形成されたタイルをその溝を掛けて取り付ける構造が知られている（特許文献７参照）。
【００１１】
また、建築物の壁面にタイル装着部材をアンカーボルトを用いて固定し、このタイル装着部材の係合部をタイルの裏面に設けられた凹溝に係合してモルタルを流し込んでタイルを固定する構成が知られている（特許文献８参照）。
【００１２】
外壁材下部を水平方向に支持する下部切り欠き片と、外壁材上部を水平方向に固定する上部切り欠き片から成る切り欠き片対を有し、本体が長尺状の外壁材取り付け具が知られている（特許文献９参照）。
【００１３】
タイル取り付け面にタイル支持用の係止溝が上下方向に所定間隔をあけて水平方向に全幅にわたり凹設された下地パネルに、タイル裏面に設けた突起を係止溝に嵌入させて取り付けたタイル取付構造において、突起の上面を係止溝内の上側の内壁に弾性的に押接するバネ部材を配置した構成、及び係止溝内の上側の内壁と該内壁に当接するタイルの突起の上面とを凹凸嵌合した構成が知られている（特許文献１０参照）。
【先行技術文献】
【特許文献】
【００１４】
【特許文献１】特開２０１０−１３８８７号公報（図１参照）
【特許文献２】特開平６−２６４５９４号公報（図４参照）
【特許文献３】特開平７−５４４６１号公報（図６参照）
【特許文献４】特開平１０−２０５０５８号公報（図３、図４参照）
【特許文献５】特開平９−１２５６５３号公報（図２、図３参照）
【特許文献６】特開平７−２７９３６１号公報（図１参照）
【特許文献７】特開２００４−２４４８５２号公報（図６参照）
【特許文献８】特開平８−１３５１３７号公報（図１参照）
【特許文献９】特開平１１−２２９５８６号公報（図１参照）
【特許文献１０】特公平７−１００９６７号公報（第１図、第５図参照）
【発明の概要】
【発明が解決しようとする課題】
【００１５】
従来のタイルの取付手段において、タイルとコンクリート等の構造壁面の間にモルタル等を充填してタイルを構造壁面に固定する手段は、モルタルの充填のための作業が必要であり、取付作業は必ずしも効率的ではない。
【００１６】
また、タイル裏面の取付孔に挿入した取付部材に、取付ボルトを螺着して、この取付ボルトによって支持金具等を介してコンクリート等の構造壁面に取り付ける従来の取付構造は、上記モルタル等で接着する取付手段に較べると作業効率は改善される。
【００１７】
しかしながら、前記特許文献１〜４の取付構造のいずれも、タイルの裏面に形成された取付孔に取付部材（留め部材、胴部、アンカーナット等）を挿入して、その取付部材に取付ボルトをねじ込む構成であるから、取付ボルトをねじ込むためにはタイルの裏面に、ドリル等の工具を利用して、ある程度深く孔をあけなくてはならない。すると、タイルが破損する恐れが生じる。特に、タイルが比較的薄い場合等は、その恐れが強い。
【００１８】
さらに、市販の取付ボルトを使用した場合には、開拡した取付部材の内径に形成されたねじに、ぴったりとスムースに螺着しにくい可能性もあり、螺着できたとしても、取付ボルトと取付部材の内径に形成されたねじとの間に緩みや隙間が生じ、強固に固定しにくいという可能性もある。
【００１９】
また、従来例において、特許文献５〜１０に開示されているように、タイルの裏面に溝を形成し、この溝に取付具の一部を差し込んで取り付け、この取付具を介して建物の構造壁面に固定するタイルの取付構造は、取付具をタイルへの取り付けするためにねじを使用しないので、孔あけによる破損は生じない。
【００２０】
しかしながら、従来例では、タイルの裏面の溝への取付具の取付構造は、簡単に装着でき、しっかりと取り付けられるためには、必ずしも十分とは言えず、さらに改良の余地があるものと考えられる。
【００２１】
特に、特許文献１０記載のタイル取付構造は、下地パネルに凹設された係止溝はタイルに対して一条であり、バネ部材で下方から上方に常時持ち上げていないと、タイルははずれてしまう構造である（バネ部材を発明の必須の構成要件としている）ことから見ても、取付の安定性という点で万全ではないものと考えられる。
【００２２】
また、係止溝内の上側の内壁と該内壁に当接するタイルの突起の上面とを凹凸嵌合した構成は、取付の安定性を図ったものと考えられるが、係止溝内の上側の内壁に凹凸面を形成することは、簡単に切削加工できるものではない。
【００２３】
従来タイルを金具で取り付けるものでは、タイルに金具を取り付けた状態で施工現場に搬送することが多く、金具付きタイルのため、搬送物がかさばって運搬のための配送上のコストが高くついていた。
【００２４】
本発明は、上記従来の問題を解決することを目的とするものであり、タイルにタイル取付具を簡単に、しかも緩みやガタが生じることなくしっかりと取り付けることができ、その結果、タイルを建物の構造壁面に、簡単な作業で、強固に固定することができるタイルの取付構造を実現することを課題とする。
【課題を解決するための手段】
【００２５】
本発明は上記課題を解決するために、建物の構造壁面に固定される取付板と、タイルの裏面に形成された係合溝に係合して取り付けられるタイル取付具とを備え、タイル取付具が、取付板に引っ掛けられてタイルが建物の構造壁面に固定されて成るタイルの取付構造であって、タイルの係合溝は、互いに上下方向に間隔をおき、タイルの横幅方向に伸びるように形成された上側係合溝と下側係合溝を有し、上側係合溝及び下側係合溝は、それぞれタイルの裏面から斜め上方に向け傾斜して深くなるように形成されており、タイル取付具は、板状の取付具本体と取付板に引っ掛けるフック部から成り、取付具本体は、タイルの上側係合溝に係合する上側係合部とタイルの下側係合溝に係合する下側係合部を有し、上側係合部は、取付具本体の上端部が斜め上方に向けて屈曲して形成された傾斜片から成り、下側係合部は、取付具本体の下端部が、上方に向けて折り返されて形成された折返し片から成り、傾斜片又は折返し片は、取付具本体の上端部又は下端部が上下方向に切り込みが入れられ、さらに曲げられて複数形成されており、該複数の傾斜片又は折返し片は、その一部の片は、上側係合溝又は下側係合溝に沿うような係合用の片として形成されており、該複数の片の残りの片は、上側係合溝又は下側係合溝に弾力的に当接するような角度で曲げられた弾接用の片として形成されている構成であることを特徴とするタイルの取付構造を提供する。
【００２６】
本発明は上記課題を解決するために、建物の構造壁面に固定される取付板と、タイルの裏面に形成された係合溝に係合して取り付けられるタイル取付具とを備え、タイル取付具が、取付板に引っ掛けられてタイルが建物の構造壁面に固定されて成るタイルの取付構造であって、タイルの係合溝は、互いに上下方向に間隔をおき、タイルの横幅方向に伸びるように形成された上側係合溝と下側係合溝を有し、上側係合溝及び下側係合溝は、それぞれタイルの裏面から斜め上方に向け傾斜して深くなるように形成されており、タイル取付具は、板状の取付具本体と取付板に引っ掛けるフック部から成り、取付具本体は、タイルの上側係合溝に係合する上側係合部とタイルの下側係合溝に係合する下側係合部を有し、上側係合部は、取付具本体の上端部が斜め上方に向けて屈曲して形成された傾斜片から成り、下側係合部は、取付具本体の下端部が、上下方向に切り込みが入れられ、さらに斜め上方に向けてフック状に折り返されて形成された係合用折返し片と弾接用折返し片から成り、係合用折返し片と取付具本体のなす角度である係合用折返し片の折返し角度は、タイルの裏面と下側係合溝のなす角度とほぼ同じに形成され、係合用折返し片が下側係合溝に沿うように構成されており、弾接用折返し片と取付具本体のなす角度である弾接用折返し片の折返し角度は、係合用折返し片の折返し角度より大きく形成されており、下側係合溝の下面に弾力的に当接するように構成されていることを特徴とするタイルの取付構造を提供する。
【００２７】
上下方向に入れられた切り込みは、取付具本体の下端部の横幅方向に間隔をおいて複数本形成され、２以上の係合用折返し片と１以上の弾接用折返し片が形成されている構成としてもよい。
【００２８】
係合用折返し片と弾接用折返し片は、下側係合部の横幅方向に交互に形成されていることが好ましい。
【００２９】
上側係合部は、その左右両端のコーナーが、それぞれ斜め上方に向けて折り返され、コーナー折返し部が形成されており、該コーナー折返し部が上側係合溝の上面に弾力的に当接するように構成されていてもよい。
【００３０】
上側係合部は、取付具本体の上端部が上下方向に切り込みが入れられ、係合用傾斜片と弾接用傾斜片から成り、係合用傾斜片と取付具本体の上方への延長線のなす角度である係合用傾斜片の傾斜角度は、タイルの裏面と上側係合溝のなす角度とほぼ同じに形成され、係合用傾斜片が上側係合溝に沿うように構成されており、弾接用傾斜片と取付具本体の上方への延長線のなす角度である弾接用傾斜片の傾斜角度は、係合用傾斜片の傾斜角度より大きく形成されており、上側係合溝の下面に弾力的に当接するように構成されていてもよい。
【００３１】
本発明は上記課題を解決するために、建物の構造壁面に固定される取付板と、タイルの裏面に形成された係合溝に係合して取り付けられるタイル取付具とを備え、タイル取付具が、取付板に引っ掛けられてタイルが建物の構造壁面に固定されて成るタイルの取付構造であって、タイルの係合溝は、互いに上下方向に間隔をおき、タイルの横幅方向に伸びるように形成された上側係合溝と下側係合溝を有し、上側係合溝及び下側係合溝は、それぞれタイルの裏面から斜め上方に向け傾斜して深くなるように形成されており、タイル取付具は、板状の取付具本体と取付板に引っ掛けるフック部から成り、取付具本体は、タイルの上側係合溝と係合する上側係合部とタイルの下側係合溝と係合する下側係合部を有し、上側係合部は、取付具本体の上端部が上下方向に切り込みが入れられ、さらに斜め上方に向けて屈曲されて形成された係合用傾斜片と弾接用傾斜片から成り、係合用傾斜片と取付具本体の上方への延長線のなす角度である係合用傾斜片の傾斜角度は、タイルの裏面と上側係合溝のなす角度とほぼ同じに形成され、係合用傾斜片が上側係合溝に沿うように構成されており、弾接用傾斜片と取付具本体の上方への延長線のなす角度である弾接用傾斜片の傾斜角度は、係合用傾斜片の傾斜角度より大きく形成されており、上側係合溝の下面に弾力的に当接するように構成されており、下側係合部は、取付具本体の下端部が、斜め上方に向けてフック状に折り返されて形成された折返し部から成ることを特徴とするタイルの取付構造を提供する。
【００３２】
取付板の下端には上方に折り返された受け部を有し、該受け部の上端には下方に向けて折り返された係止部が形成されており、タイル取付具のフック部の下端には上方に折り返された係合部が形成されており、タイル取付具のフック部を取付板の受け部に挿入し係合部を係止部に係脱可能である構成としてもよい。
【００３３】
本発明は上記課題を解決するために、板状の取付具本体と取付板に引っ掛けるフック部から成り、取付具本体をタイルの裏面に斜め上方に向け、かつタイルの横幅方向に伸びるように形成された上側係合溝と下側係合溝に係合してタイルに取り付け、フック部を建物の構造壁面に固定される取付板に引っ掛けることで、タイルを建物の構造壁面に固定するタイル取付具であって、取付具本体は、タイルの上側係合溝に係合する上側係合部とタイルの下側係合溝に係合する下側係合部を有し、上側係合部は、取付具本体の上端部が斜め上方に向けて屈曲して形成された傾斜片から成り、下側係合部は、取付具本体の下端部が、上方に向けて折り返されて形成された折返し片から成り、傾斜片又は折返し片は、取付具本体の上端部又は下端部が上下方向に切り込みが入れられ、さらに曲げられて複数形成されており、複数の傾斜片又は折返し片は、その一部の片は、上側係合溝又は下側係合溝に沿うような係合用の片として形成されており、複数の片の残りの片は、上側係合溝又は下側係合溝に弾力的に当接するような角度で曲げられて弾接用の片として形成されている構成であることを特徴とするタイルの取付具を提供する。
【００３４】
本発明は上記課題を解決するために、板状の取付具本体と取付板に引っ掛けるフック部から成り、取付具本体をタイルの裏面に斜め上方に向け、かつタイルの横幅方向に伸びるように形成された上側係合溝と下側係合溝に係合してタイルに取り付け、フック部を建物の構造壁面に固定される取付板に引っ掛けることで、タイルを建物の構造壁面に固定するタイル取付具であって、取付具本体は、タイルの上側係合溝と係合する上側係合部とタイルの下側係合溝と係合する下側係合部を有し、上側係合部は、取付具本体の上端部が斜め上方に向けて屈曲して形成された傾斜片から成り、下側係合部は、取付具本体の下端部が、上下方向に切り込みが入れられ、かつ斜め上方に向けてフック状に折り返されて形成された係合用折返し片と弾接用折返し片から成り、係合用折返し片と取付具本体のなす角度である係合用折返し片の折返し角度は、タイルの裏面と下側係合溝のなす角度とほぼ同じに形成され、係合用折返し片が下側係合溝に沿うように構成されており、弾接用折返し片と取付具本体のなす角度である弾接用折返し片の折返し角度は、係合用折返し片の折返し角度より大きく形成されており、下側係合溝の下面に弾力的に当接するように構成されていることを特徴とするタイル取付具を提供する。
【００３５】
上側係合部は、その左右両端のコーナーが、それぞれ斜め上方に向けて折り返され、コーナー折返し部が形成されており、該コーナー折返し部が上側係合溝の上面に弾力的に当接可能である構成としてもよい。
【００３６】
本発明は上記課題を解決するために、板状の取付具本体と取付板に引っ掛けるフック部から成り、取付具本体をタイルの裏面に斜め上方に向け傾斜して深くなり、かつタイルの横幅方向に伸びるように形成された上側係合溝と下側係合溝に係合してタイルに取り付け、フック部を建物の構造壁面に固定される取付板に引っ掛けることで、タイルを建物の構造壁面に固定するタイル取付具であって、タイル取付具は、板状の取付具本体と取付板に引っ掛けるフック部から成り、取付具本体は、タイルの上側係合溝と係合する上側係合部とタイルの下側係合溝と係合する下側係合部を有し、上側係合部は、取付具本体の上端部が上下方向に切り込みが入れられ、さらに斜め上方に向けて屈曲されて形成された係合用傾斜片と弾接用傾斜片から成り、係合用傾斜片と取付具本体の上方への延長線のなす角度である係合用傾斜片の傾斜角度は、タイルの裏面と上側係合溝のなす角度とほぼ同じに形成され、係合用傾斜片が上側係合溝に沿うように構成されており、弾接用傾斜片と取付具本体の上方への延長線のなす角度である弾接用傾斜片の傾斜角度は、係合用傾斜片の傾斜角度より大きく形成されており、上側係合溝の下面に弾力的に当接するように構成されており、下側係合部は、取付具本体の下端部が、斜め上方に向けてフック状に折り返されて形成された折返し片から成ることを特徴とするタイル取付具を提供する。
【００３７】
タイル取付具のフック部は、タイル取付具本体に固着されている構成としてもよい。
【００３８】
タイル取付具のフック部は、タイル取付具本体の一部が平面視で凹型に切り込まれて切り込み部が形成されており、該切り込み部が屈曲されてタイル取付具本体と一体で形成されている構成としてもよい。
【発明の効果】
【００３９】
本発明に係るタイルの取付構造によれば次のような効果が生じる。
（１）タイルに複雑な加工をすることなく、しかも高価な工具や部品等を使用することなく、簡単な作業で、容易にタイル取付具をタイルに簡単に取り付けることができ、タイルを建物の構造壁面に、安価で簡単に固定することができる。
【００４０】
（２）タイルにタイル取付具を緩みやガタが生じることなくしっかりと取り付けることができ、これにより、タイルをタイル取付具及び取付板を介して、建物の構造壁面に強固に固定することができる。
【００４１】
（３）タイルタイル取付具を施工現場でタイルに簡単に取り付けられるので、施工現場での取り付けを前提とすれば、タイルのみをコンパクトに積み重ねて運搬できるから、配送コストを大幅に低減することができる。
【図面の簡単な説明】
【００４２】
【図１】本発明に係るタイルの取付構造の実施例１を示す図であり、（ａ）は全体構成を示し、（ｂ）、（ｃ）は要部を説明する図である。
【図２】本発明に係るタイルの取付構造の実施例１の取付板を示す図であり、（ａ）は斜視図であり、（ｂ）は断面図であり、（ｃ）は変形例及びその使用状態を説明する図である。
【図３】本発明に係るタイルの取付構造の実施例１のタイル取付具を示す図であり、（ａ）は正面図であり、（ｂ）側面図あり、（ｃ）は（ｂ）の要部を説明する拡大図であり、（ｄ）は（ａ）のＤ−Ｄ断面図であり、（ｅ）は（ａ）のＥ−Ｅ断面図り、（ｆ）はタイル取付具のフック部の別の構成例を示す断面図である。
【図４】実施例１のタイル取付具の斜視図であり、（ａ）は裏面側（建築構造物側）から見た斜視図であり、（ｂ）はタイル側から見た斜視図である。
【図５】実施例１のタイル取付具の別の構成例を説明する図であり、（ａ）は正面図であり、（ｂ）は（ａ）のＢ−Ｂ断面図である。
【図６】本発明に係るタイルの取付構造のタイルを説明する図であり、（ａ）は断面図であり、（ｂ）、（ｃ）は要部を説明する拡大図であり、（ｄ）はタイルの裏面に複数の係合溝を設けた構成例を説明する図である。
【図７】本発明に係るタイルの取付構造の実施例２を示す図であり、（ａ）はタイル側から見た正面図であり、（ｂ）は（ａ）の側面図であり、（ｃ）は作用を説明する図である。
【図８】実施例２のタイル取付具の斜視図であり、（ａ）は裏面側（建築構造物側）から見た斜視図であり、（ｂ）はタイル側から見た斜視図である。
【図９】本発明に係るタイルの取付構造の実施例３を説明する図であり、（ａ）はタイル側から見た正面図であり、（ｂ）は側面図であり、（ｃ）はＣ−Ｃ断面図であり、（ｄ）はＤ−Ｄ断面図である。
【図１０】本発明に係るタイルの取付構造の実施例４を説明する図であり、（ａ）はタイル側から見た正面図であり、（ｂ）は側面図であり、（ｃ）はＣ−Ｃ断面図であり、（ｄ）はＤ−Ｄ断面図である。
【図１１】本発明に係るタイルの取付構造の実施例５を説明する図であり、（ａ）はタイル側から見た正面図であり、（ｂ）は側面図であり、（ｃ）はＣ−Ｃ断面図であり、（ｄ）はＤ−Ｄ断面図である。
【図１２】本発明に係るタイルの取付構造の実施例５の変形例を説明する図であり、（ａ）はタイル側から見た正面図であり、（ｂ）は側面図であり、（ｃ）はＣ−Ｃ断面図であり、（ｄ）はＤ−Ｄ断面図である。
【図１３】本発明に係るタイルの取付構造の実施例６を説明する図であり、（ａ）はタイル側から見た正面図であり、（ｂ）は側面図であり、（ｃ）はＣ−Ｃ断面図であり、（ｄ）はＤ−Ｄ断面図である。
【図１４】本発明に係るタイルの取付構造の実施例７を説明する図であり、（ａ）はタイル側から見た正面図であり、（ｂ）は側面図であり、（ｃ）はＣ−Ｃ断面図であり、（ｄ）はＤ−Ｄ断面図であり、（ｅ）は作用を説明する図である。
【発明を実施するための形態】
【００４３】
本発明に係るタイルの取付構造及びタイル取付具を実施するための形態を実施例に基づき図面を参照して、以下説明する。
【実施例１】
【００４４】
（概要）                                            
本発明に係るタイルの取付構造及びタイル取付具の実施例１を図１〜図６で説明する。図１は、実施例１のタイルの取付構造１及びタイル取付具１１の全体構成を説明する図である。
【００４５】
このタイルの取付構造１は、全体的には、建物の構造壁面２にねじ等の固定具３で固定された取付板６と、タイル７の裏面１２に形成された係合溝８に係合して取り付けられるタイル取付具１１とを有し、タイル７の裏面１２に係合して取り付けたタイル取付具１１を、取付板６に引っ掛けることで、タイル７が建物の構造壁面２に固定されて成る構造である。
【００４６】
（構成部材）
本発明に係るタイルの取付構造１を構成する部材について、本発明に係るタイル取付具１１を含めて、以下説明する。
【００４７】
取付板：
取付板６は、図２（ａ）、（ｂ）に斜視図及び断面図を示すように、全体的には長尺状の板材から成り、その材料は、鉄等の金属材、樹脂材等が利用される。取付板６の下端には、上方に折り返された受け部１３が、取付板６の下縁に沿って形成されている。
【００４８】
また、取付板６には、上下方向に長い長孔１６が形成されている。この長孔１６を通してねじ等の固定具３が挿通されて、取付板６は建物の構造壁面２に上下方向に適宜調整されて固定される。
【００４９】
なお、取付板６の変形例を、図２（ｃ）にその使用状態とともに示す。この変形例は、取付板６の受け部１３の上端に、建物の構造壁面２側に下方に折り返した係止部１４の形成されている。一方、後記するタイル取付具１１のフック部１８の垂直部３３の下端をタイル取付具本体１７側に上方に折り返した係合部３４の形成された構成とする。
【００５０】
このような構成とすることで、タイル取付具１１のフック部１８を、取付板６の受け部１３に挿入し装着する際に、タイル取付具１１の係合部３４と取付板６の係止部１４を互いに係合させることができる。
【００５１】
これによって、タイル７に取り付けたタイル取付具１１を取付板６に装着し、タイル７を建物の構造壁面２に固定してから、タイル取付具１１が取付板６から抜け出にくくなって、例えば地震等による縦揺れが生じた際でも、タイル７が建物の構造壁面２から脱落しにくくすることができる。
【００５２】
タイル取付具：
タイルの取付構造１において、タイル取付具１１は、タイル７の裏面１２に形成された１又は複数の係合溝８（図６（ｄ）参照）に応じて、１又は複数設けられている。タイル取付具１１は、図３（ａ）、（ｂ）に正面図（タイル側から見た正面図）及び側面図を示すが、タイル取付具本体１７とフック部１８から構成される。
【００５３】
タイル取付具本体１７は、ステンレス等の金属材料で製造し、図３（ａ）に示すように、全体の平面形状が矩形である。タイル取付具本体１７の上端部には、上側係合部２１が形成されている。
【００５４】
上側係合部２１は、図３（ｂ）、（ｃ）及び図４（ａ）、（ｂ）に示すように、タイル取付具７を起立した状態で、タイル側（フック部１８と反対側）の斜め上方に傾斜して伸びるように屈曲された（曲げられた）傾斜片から成る。
【００５５】
図３（ｃ）に示すように、上側係合部２１は、タイル取付具本体１７の垂直部２２の上方への延長線２３となす傾斜角度βは鋭角に形成されている。この実施例では例えば、β＝４５°とする。換言すると、上側係合部２１とタイル取付具本体１７の垂直部２２とのなす角度（１８０°−β）は１３５°の傾斜角度をなすように形成されている。
【００５６】
図１（ｂ）、図３（ｃ）に示すように、タイル取付具本体１７の垂直部２２から上側係合部２１の先端までの水平距離ｓは、例えば、４．６ｍｍで形成されている。
【００５７】
タイル取付具本体１７の下端部には下側係合部２６が形成されている。下側係合部２６は、図３（ａ）、（ｂ）、図４（ｂ）に示すように、全体的には、タイル取付具本体１７の垂直部２２に対して鋭角をもってフック状にタイル側上方に曲げられて折り返された複数の折返し片から構成されている。
【００５８】
具体的には、下側係合部２６は、その横幅方向に間隔をおいて、タイル取付本体１７の下端部に下端から上方に向けて縦方向に複数本の切り込み２７が入れられ、さらにタイル側上方にフック状に曲げられて折り返されて形成された複数の折返し片から構成されている。
【００５９】
本実施例１では下側係合部２６は、図３（ａ）、（ｂ）及び図４（ｂ）に示すように、タイル取付本体１７の下端部に下端から上方に向けて縦方向に切り込み２７が２本入れられ、さらにタイル側上方に曲げられて折り返されて形成された、左右の係合用折返し片２８と中央の弾接用折返し片２９の計３つの折返し片が形成されている。               
【００６０】
左右の係合用折返し片２８は、後記するタイルの下側係合溝４３に沿うように下側係合溝４３の後記する角度θ（例えば４５°）とほぼ同じ大きさの折返し角度αで折り返されており（図３（ｄ）参照）、中央の弾接用折返し片２９は、左右の係合用折返し片２８の折返し角度αより大きな折返し角度α’で折り返されている（図３（ｅ）参照）。
【００６１】
このような構成によって、後記するが、中央の弾接用折返し片２９はバネとしての機能を発揮し、図１（ｃ）に示すように、タイルの下側係合溝４３の下面５２に弾力的に当接して、タイル取付具本体１７を上方に弾力的に付勢し、タイル取付具本体１７の取付の安定性を良くするとともに、横幅方向のずれ止めとなる。
【００６２】
なお、下側係合部２６に入れられた切り込み２７は、２本でなくて、３本以上であってもよいが、下側係合溝４３に沿うように形成された１又は２以上の係合用折返し片（折返し角度がαの折返し片）の合計横幅は、下側係合溝４３の下面に弾接する１又は２以上の弾接用折返し片（折返し角度がαより大きいα’の折返し片）の合計横幅より大きくなるように形成する。要するに、下側係合部２６においては、係合用折返し片２８が主な構成要素であって、弾接用折返し片２９は、バネ機能を付すための補助的な構成要素である。
【００６３】
また、複数の折返し片は、折返し角度がαの係合用折返し片２８と折返し角度がαより大きいα’の弾接用折返し片２９が、下側係合部２６の横幅方向に交互に形成されていることが好ましい。
【００６４】
取付具１１のフック部１８は、図３（ａ）及び図４（ａ）に示すように、正面視すると、タイル取付具本体１７とほぼ同幅であり矩形をしている。図３（ｂ）に示すように、フック部１８は、固定部３１、水平部３２及び垂直部３３から成り、全体の断面形状がクランク状に形成されている。
【００６５】
なお、図３（ｆ）に示すように、フック部１８における水平部３２及び垂直部３３のなす角部３５は、直角ではなくＲをつけて湾曲状に形成してもよい。
【００６６】
タイル取付具本体１７に、フック部１８の固定部３１がスポット溶接で固定されている。図３（ａ）、（ｂ）において、３６はスポット溶接部を示す。このような固定手段としては、カシメやボルト等を使用してもよい。
【００６７】
図５（ａ）、（ｂ）は、タイル取付具の変形例を示す。この変形例のタイル取付具３７は、図３に示すタイル取付具１１と全体的にはほぼ同じ構成であるが、図３に示すタイル取付具１１と異なり一つの部材から形成されている。
【００６８】
即ち、この変形例のタイル取付具３７は、タイル取付具本体の垂直部３８の一部を平面視で凹状に切り込み、その切り込みで囲まれた部分を、タイル取付具本体の垂直部３８に対して直角水平に屈曲し、さらに垂直下方に屈曲して、フック部４１を形成して成るものである。
【００６９】
タイル：
図６は、タイル７の裏面１２に形成された係合溝８を説明する図である。タイル７の裏面１２に形成された係合溝８は、タイル７の横幅方向に伸びるように形成されており、図６（ａ）に示すように、互いに上下方向に間隔をおき、横幅方向に伸びるように形成された上側係合溝４２及び下側係合溝４３の組み合わせから成る。
【００７０】
上側係合溝４２及び下側係合溝４３の組み合わせから成る係合溝８は、１つのタイル７の裏面１２に、そのタイル７の大きさに応じて、１又は複数（図６（ｄ）に示す例では４つ）形成されている。上側係合溝４２及び下側係合溝４３は、それぞれタイル取付具１１の上側係合部２１及び下側係合部２６が挿入されて係合するように形成されている。
【００７１】
上側係合溝４２は、その断面の拡大図を図６（ｂ）に示すが、タイル７が建物の構造壁面２に垂直に固定された状態で、タイル７の裏面１２から斜め上方に向け傾斜して深くなるように形成されている。
【００７２】
即ち、上側係合溝４２は、タイル取付具１１の上側係合部２１と同方向となるように、上側係合溝４２と、上側係合溝４２の開口上側におけるタイル７の裏面１２とのなす角度θを鋭角に形成し、この角度θは、上側係合部２１の傾斜角度β（上側係合部２１がタイル取付具本体１７の垂直部２２の延長線２３となす傾斜角度（図３（ｃ）参照））とほぼ同じとする。        
【００７３】
この実施例では、例えばθ＝４５°とする。換言すると、上側係合溝４２は、上側係合溝４２の開口下側におけるタイル７の裏面１２に対して１８０°−４５°＝１３５°の角度で、斜め上方に向けて傾斜して形成されている。
【００７４】
上側係合溝４２の最深部４６とタイル７の裏面１２との間隔ｓ’は、タイル７の大きさ、厚さ、重量等によって適宜設計される事項である。例えば、タイル７の寸法（横、縦、厚さ）が３００×３００×１０ｍｍの場合は、間隔ｓ’は５ｍｍとする。
【００７５】
この上側係合溝４２の最深部４６とタイル７の裏面１２との間隔ｓ’は、タイル取付具本体１７の垂直部２２から上側係合部２１の先端までの水平距離ｓ（＝４．６ｍｍ）より大きく形成されている（図１（ｂ）、図３（ｃ）参照）。
【００７６】
下側係合溝４３は、その断面図の拡大図を図６（ｃ）に示すように、上側係合溝４２と同様に、タイル７が建物の構造壁面２に垂直に固定された状態で、タイル７の裏面１２から斜め上方に向け傾斜して深くなるように形成されている。
【００７７】
下側係合溝４３の傾斜する角度は、即ち、傾斜上面５１とタイル７の裏面１２のなす角度θは、上側係合溝４２の角度θと同じ大きさで形成されており、例えばθ＝４５°とする。この角度θは、下側係合部２６の係合用折返し片２８の折返し角度αとほぼ同じように形成する。
【００７８】
上側係合溝４２及び下側係合溝４３は、それぞれ図示はしないが、円盤ディスクカッターを、その刃をタイル７の裏面１２に斜め上方に入れて回転切削して形成する。
【００７９】
（タイルの取付構造）       
本発明に係るタイルの取付構造１を構成するタイル取付具１１等の部材は以上のとおりであるが、これらの部材を備えたタイルの取付構造１について、その施工方法とともに説明する。
【００８０】
タイル７を建物の構造壁面２に取り付ける施工に際しては、まず、取付板６を建物の構造壁面２にねじ等の固定具３で固定する。
【００８１】
そして、タイル取付具１１の上側係合部２１及び下側係合部２６を、それぞれタイル７の上側係合溝４２及び下側係合溝４３に挿入して係合させる。すると、下側係合部２６の弾接用折返し片２９はバネとしての機能を発揮し、タイル７の下側係合溝４３の下面５２に弾力的にて当接して、タイル取付具本体１７を上方に向けて付勢する。
【００８２】
そのため、下側係合部２６の折返し片２８は、下側係合溝４３の傾斜上面５１に向けて付勢され、上側係合部２１は上側係合溝４２の傾斜上面４８に向けて付勢される。その結果、タイル取付具１１は、タイル７の係合溝８に確実に係合して取り付けられ、タイル取付具１１をタイル７の裏面１２から引きはがすように引いても取り外すことができなくなる。
【００８３】
このようにして、タイル７へのタイル取付具１１の安定した装着できる。また、タイル７に対してタイル取付具１１の横幅方向の相対的なずれ止めの効果が生じる。なお、タイル取付具１１をタイル７からはずす場合は、タイル取付具１１を、いったん中央の弾接用折返し片２９の弾力に抗して下方に引き下げ、外側に引き出せばよい。
【００８４】
以上のとおり、タイル取付具１１の上側係合部２１及び下側係合部２６を、それぞれタイル７の上側係合溝４２及び下側係合溝４３に係合させることで、タイル７にタイル取付具１１を取り付けてから、タイル取付具１１のフック部１８を、取付板６の受け部１３に挿入して係止する。これによって、タイル７及びタイル取付具１１を取付板６に装着し、タイル７を建物の構造壁面２に固定することができる。
【００８５】
タイル７に取り付けられたタイル取付具１１を、取付板６の受け部１３に係合させて取り付けると、タイル７は、その上側係合溝４２及び下側係合溝４３に、それぞれ挿入されたタイル取付具１１の上側係合部２１及び下側係合部２６に沿うようにして、上下両方において当接係合する。
【００８６】
そのために、タイル７はタイル取付具１１に係止拘束されて、簡単には、はずれことがない。従って、タイル７は、建物の構造壁面２に強固に固定され、はずれたり、はがれたりすることがない。
【００８７】
特に、本発明に係るタイルの取付構造及びタイル取付具のきわめて特徴的な構成及びそれによる顕著な機能は、次のようにタイル自体の自重を利用して、建物の構造壁面２に向けて押し込まれるようにし、かつ建物の構造壁面から外れにくくした点である。
【００８８】
即ち、上側係合溝４２及び下側係合溝４３は斜め上方に傾斜して形成されているので、タイル７はその自重によって、タイル取付具１１の上側係合部２１及び下側係合部２６に対して、下方かつタイル取付具１１側に相対的にずれて移動する力が作用し、タイル７はタイル取付具１１側に押しつけられるようなり、しかも上側係合部２１及び下側係合部２６と、上側係合溝４２及び下側係合溝４３の係合を確実にして、タイル７が建物の構造壁面２にから外れにくくなり、しっかりと取り付けられる。
【００８９】
ところで、上側係合溝４２の最深部４６とタイル７の裏面１２との間隔ｓ’は、タイル取付具本体１７の垂直部２２から上側係合部２１の先端までの水平距離ｓより大きく形成されている（図１（ｂ）参照）。また、下側係合溝４３の最深部５３とタイル７の裏面１２との間隔ｄ’は、取付具の下側係合部２６の先端までの水平距離ｄより大きく形成されている（図１（ｃ）参照）。
【００９０】
従って、上記のとおり、タイル７はその自重で、タイル取付具１１の上側係合部２１及び下側係合部２６に対して、下方かつタイル取付具１１側に相対的にずれて移動する力が作用し、タイル７はタイル取付具１１側に押しつけられても、上側係合部２１及び下側係合部２６が、上側係合溝４２の最深部４６及び下側係合溝４３の最深部５３に突き当たって押しつけられるようなことは生じない。
【００９１】
このようにタイル７の自重でタイル７がタイル取付具１１にしっかりと取り付けられることからすると、下側係合部２６に切り込み２７を入れて形成される弾接用折返し片２９を設ける必要は必ずしもない。
【００９２】
しかしながら、下側係合部２６に弾接用折返し片２９を設けることで、上記タイル７の自重による効果と相乗して、板バネ５６でタイル取付具１１を上方に押圧し、より強固に係合させるという顕著な効果が生じる。
【００９３】
また、タイル７の上側係合溝４２及び下側係合溝４３は、円盤ディスクカッター等で切削加工して形成するが、その加工面は必ずしも滑らかではなく、凹凸が残っている。従って、タイル取付具１１を装着するとどうしてもがたつきが生じる。
【００９４】
しかし、弾接用折返し片２９を設けることで、タイル７とタイル取付具１１の係合状態を均一にするとともに、タイル７とタイル取付具１１の係合部におけるがたつきが解消され、しかも、前記のとおりタイル７とタイル取付具１１の横幅方向への相対的なずれが防止されるという顕著な効果が生じる。                                            
【００９５】
なお、本発明に係るタイルの取付構造１及びタイル取付具１１は上記のとおり簡単な構成であるから、タイル取付具１１をタイル７に取り付ける作業は、施工現場できわめて簡単、迅速に行うことができる。
【００９６】
従って、施工現場でタイル取付具１１をタイル７に取り付ける作業を行うことを前提とすれば、タイル７を施工現場に配送する場合に、タイル７のみを積み重ねて収納箱内に入れて運送することができるので、運搬物のボリュームがタイル取付具１１を取り付けた状態で運送する場合より格段に小さくすることができるので、配送コストを大幅に低減することが可能となるという顕著な経済的効果が生じる。
【００９７】
なお、本発明に係るタイルの取付構造及びタイル取付具においては、タイル７と建物の構造壁面２の間に、特にモルタル等を充填しない構成としてもよい。しかし、タイル７の裏面１２の一部に接着剤を塗布してから、タイル取付具１１のフック部１８を、取付板６の受け部１３に挿入して係止することで、接着剤でタイル７の裏面１２の一部と建物の構造壁面２を接着し、より強固にタイル７を取り付ける構成としても良い。
【００９８】
また、本発明に係るタイルの取付構造及びタイル取付具においては、互いに隣接するタイル７の間の隙間に、特に目地材を充填しない構成としてもよい。しかし、通常使用されているモルタル等の目地材を充填する構成としても良いし、或いはゴム製又は樹脂製のコーキング剤を充填する構成としてもよい。
【実施例２】
【００９９】
本発明に係るタイルの取付構造及びタイル取付具の実施例２を説明する。実施例２のタイルの取付構造及びタイル取付具は、実施例１のタイルの取付構造１及びタイル取付具１１とほぼ同じであり、以下、実施例１と相違する構成を中心に説明し、図中、実施例１と同じ符号はそのまま使用する。
【０１００】
図７及び図８は、実施例２のタイル取付具６１の構成を説明する図であり、このタイル取付具６１は、実施例１のタイル取付具１１とほぼ同じ構成であるが、上側係合部２１の左右両端のコーナーが、それぞれ斜め上方に向けて折り返され、コーナー折返し部６２が形成されている構成を特徴とする。
【０１０１】
実施例２のタイル取付具６１は、実施例１と同様にタイル７に取り付ける際に、上側係合部２１をタイル７の上側係合溝４２に挿入する。すると、図７（ｃ）に示すように、コーナー折返し部６２が上側係合溝４２の傾斜上面４８に弾力的に当接し、上側係合部２１を含めタイル取付具６１を下方へ付勢する。
【０１０２】
このようなコーナー折返し部６２の作用と、下側係合溝４３に挿入された下側係合部の中央の弾接用折返し片２９の弾力による上方への付勢とあいまって、上側係合部２１及び下側係合部２６を上側係合溝４２及び下側係合溝４３内にしっかりと締着して取り付けることが可能となる。
【０１０３】
また、実施例１以上に、タイル７とタイル取付具６１の係合部におけるがたつきが解消され、しかも、タイル７とタイル取付具６１の横幅方向への相対的なずれが防止されるという顕著な効果が生じる。                                        
【実施例３】
【０１０４】
本発明に係るタイルの取付構造及びタイル取付具の実施例３で説明する。実施例３のタイルの取付構造及びタイル取付具は、実施例１のタイルの取付構造１及びタイル取付具１１とほぼ同じであり、以下、実施例１と相違する構成を中心に説明し、図中、実施例１と同じ符号はそのまま使用する。
【０１０５】
図９は、実施例３のタイル取付具６７の構成を説明する図であり、このタイル取付具６７は、実施例１のタイル取付具１１とほぼ同じ構成であるが、実施例３では、実施例１と同様に、切り込み２７が２本入れられており、これによって、下側係合部６８は、中央の係合用折返し片７１と左右の弾接用折返し片７２の計３つの折返し片が形成されている。
【０１０６】
中央の係合用折返し片７１は、タイルの下側係合溝４３に沿うように係合溝の角度θ（例えば４５°）と同じ大きさの折返し角度αで折り返されており（図９（ｃ）参照）、左右の弾接用折返し片７２は、中央の係合用折返し片７１の折返し角度αより大きな折返し角度α’で折り返されている（図９（ｄ）参照）。
【０１０７】
このような構成によって、左右の弾接用折返し片７２はバネとしての機能を発揮し、タイルの下側係合溝４３の下面に弾力的に当接して、実施例１と同様に、タイル取付具本体１７を上方に弾力的に押圧する作用に寄与するとともに、タイル取付具本体１７の取付の安定性を良くし、さらにタイル取付具６７自体の横幅方向のずれ止めとなり、タイル７にしっかりと装着できる。
【実施例４】
【０１０８】
本発明に係るタイルの取付構造及びタイル取付具の実施例４を説明する。実施例４のタイルの取付構造及びタイル取付具は、実施例３のタイルの取付構造及びタイル取付具６７とほぼ同じであり、以下、実施例３と相違する構成を中心に説明し、図中、実施例３と同じ符号はそのまま使用する。  
【０１０９】
図１０は、実施例４のタイル取付具７７の構成を説明する図であり、このタイル取付具７７は、実施例３のタイル取付具６７とほぼ同じ構成であるが、上側係合部２１の左右両端のコーナーが、それぞれ斜め上方に向けて折り返され、実施例２と同じように、コーナー折返し部６２が形成されている点が特徴である。
【０１１０】
このような構成によって、実施例４のタイル取付具は、実施例２と同様にタイル７に取り付ける際に、上側係合部２１を上側係合溝４２に挿入すると、コーナー折返し部６２が上側係合溝４２の傾斜上面４８に弾力的に当接し、タイル取付具７７を上方へ付勢し、実施例２と同様に、タイル取付具７７はしっかりとタイル７に取り付けられる。
【実施例５】
【０１１１】
本発明に係るタイルの取付構造及びタイル取付具の実施例５を説明する。実施例の５タイルの取付構造及びタイル取付具は、実施例１のタイルの取付構造及びタイル取付具とほぼ同じであり、以下、実施例１と相違する構成を中心に説明し、図中、実施例１と同じ符号はそのまま使用する。
【０１１２】
図１１は、実施例５のタイル取付具８１の構成を説明する図であり、このタイル取付具８１は、実施例１のタイル取付具１１とほぼ同じ構成であるが、実施例１と異なり、下側係合部８２は単に斜め上方にフック状に折り返され折返し片として形成されているだけで、切り込みは入れられていない。
【０１１３】
しかし、上側係合部８３に切り込み２７が２本入れられ、さらにタイル側に向けて屈曲され、タイル側の斜め上方に向かうように形成されており、これによって、上側係合部８３は、左右の係合用傾斜片８６と中央の弾接用傾斜片８７の計３つの傾斜片が形成されている。        
【０１１４】
左右の係合用傾斜片８６は、その取付具本体１７の上方への延長線２３に対する傾斜角度βは、タイル７の裏面１２に対する上側係合溝４２の深さ方向のなす角度θ（例えば、４５°）とほぼ同じ大きさで形成され、上側係合溝４２に沿うように形成されている（図１１（ｃ）参照）。
【０１１５】
一方、中央の弾接用傾斜片８７は、その取付具本体１７の上方への延長線２３に対する傾斜角度β’は、左右の係合用傾斜片８６の傾斜角度βより大きく形成されている（図１１（ｄ）参照）。
【０１１６】
このような構成によって、実施例５のタイル取付具８１は、実施例５と同様にタイル７に取り付ける際に、上側係合部８３を上側係合溝４２に挿入すると、左右の係合用傾斜片８６は、タイル７の上側係合溝４２に沿うよう挿入され、中央の弾接用傾斜片８７が上側係合溝４２の傾斜下面４９に弾力的に当接して挿入され、タイル取付具を上方へ付勢し、実施例１と同様に、タイル取付具８１はしっかりとタイル７に取り付けられる。
【０１１７】
なお、図１２は、実施例５の変形例のタイル取付具９０であり、上側係合部９１について図１１に示す構成とは反対に、中央の傾斜片を係合用傾斜片９２とし、その取付具本体の上方への延長線２３に対する傾斜角度βは、タイルの裏面に対する上側係合溝４２の深さ方向のなす角度θ（例えば、４５°）とほぼ同じ大きさで形成されている（図１２（ｃ）参照）。
【０１１８】
一方、左右の傾斜片を弾接用傾斜片９３とし、その取付具本体の上方への延長線２３に対する折返し角度β’は、係合用傾斜片９２の傾斜角度βより大きく形成されている（図１２（ｄ）参照）。
【０１１９】
このような構成であるから、変形例のタイル取付具は、タイル７に取り付ける際に、取り付ける際に、上側係合部９１を上側係合溝４２に挿入すると、中央の係合用傾斜片９２は、タイル７の上側係合溝４２に沿うよう挿入され、左右の弾接用傾斜片９３が上側係合溝４２の下面４９に弾力的に当接して挿入され、タイル取付具９０を上方へ付勢し、実施例５と同様に、タイル取付具９０はしっかりとタイル７に取り付けられる。
【０１２０】
なお、図１１又は図１２に示される上側係合部８３又は上側係合部９１の構成は、実施例１のタイル取付具１１において、上側係合部２１に適用して設ける構成としてもよい。
【実施例６】
【０１２１】
本発明に係るタイルの取付構造及びタイル取付具の実施例６を説明する。実施例の６タイルの取付構造及びタイル取付具は、実施例５のタイルの取付構造及びタイル取付具とほぼ同じであり、以下、実施例５と相違する構成を中心に説明する。
【０１２２】
図１３は、実施例６のタイル取付具９６の構成を説明する図であり、このタイル取付具９６は、実施例５のタイル取付具８１とほぼ同じ構成であるが、実施例６では、下側係合部８２の左右両端のコーナーが、それぞれ斜め下方に向けて折り返され、コーナー折返し部９７が形成されている点が特徴である。
【０１２３】
実施例６のタイル取付具９６は、実施例５と同様にタイル７に取り付ける際に、下側係合部８２を下側係合溝４３に挿入すると、コーナー折返し部９７が下側係合溝４３の下面に弾力的に当接し、タイル取付具９６を上方へ付勢する。
【０１２４】
このようなコーナー折返し部９７の動作と、上側係合溝４２に挿入された上側係合部８３の中央の弾接用傾斜片８７の弾力による上方への付勢とあいまって、上側係合部８３及び下側係合部８２を上側係合溝４２及び下側係合溝４３内にしっかりと締着して取り付けることが可能となる。
【実施例７】
【０１２５】
本発明に係るタイルの取付構造及びタイル取付具の実施例７を説明する。実施例７のタイルの取付構造及びタイル取付具は、実施例１のタイルの取付構造１及びタイル取付具１１とほぼ同じであり、以下、実施例１と相違する構成を中心に説明し、図中、実施例１と同じ符号はそのまま使用する。
【０１２６】
図１４は、実施例７のタイル取付具１０１の構成を説明する図であり、この実施例７のタイル取付具１０１は、実施例１のタイル取付具１１とほぼ同じ構成であるが、下側係合部の構成において異なる。
【０１２７】
即ち、実施例７のタイル取付具１０１の下側係合部１０２は、上方に折り返された折返し片が形成されているが、実施例１のように、単に斜め上方へフック状に折り返されて折返し片が形成されている構成ではない。
【０１２８】
実施例７のタイル取付具１０１の下側係合部１０２は、タイル取付具１０１のタイル取付具本体１７の下端において上方に向けて２本の切り込み２７が入れられ、その後で折り曲げられて、図１４（ａ）に示すように、左右の係合用折返し片１０３と中央の弾接用折返し片１０４の計３つの折返し片から成る構成として形成されている。
【０１２９】
左右の係合用折返し片１０３は、図１４（ｂ）、（ｃ）に示すように、それぞれタイル取付具本体１７の下端部がタイル側に向けて水平に折り曲げられた底部１０７と、底部１０７のタイル側の端部が底部に対して直角上方に折り曲げられた立ち上がり部１０８とから形成されている。
【０１３０】
一方、中央の弾接用折返し片１０４は、図１４（ｂ）、（ｄ）に示すように、タイル取付具本体１７の下端部がタイル側のやや斜め下方に向けて水平線１１２に対して角度γで折り曲げられた底部１１０と、底部１１０のタイル側の端部が底部１１０に対して直角上方に折り曲げられた立ち上がり部１１１とから形成されている。
【０１３１】
そして、タイル取付具１０１の上側係合部２１及び下側係合部１０２を、それぞれタイル７の上側係合溝４２及び下側係合溝４３（図６参照）に挿入して係合させる。すると、図１４（ｅ）に示すように、下側係合部１０２の中央の弾接用折返し片１０４はバネとしての機能を発揮し、タイル７の下側係合溝４３の下面５２に弾力的にて当接して、タイル取付具本体１７を上方に向けて付勢する。
【０１３２】
そのため、下側係合部１０２の左右の係合用折返し片１０３は、下側係合溝４３の傾斜上面５１に向けて付勢され、上側係合部２１は上側係合溝４２の傾斜上面４８に向けて付勢される。その結果、タイル取付具１０１は、タイル７の係合溝８に確実に係合して取り付けられ、実施例１と同様の効果が生じる。
【０１３３】
なお、実施例７においても、実施例２（図７、８参照）に示すように、上側係合部２１の左右両端のコーナーに、それぞれ斜め上方に向けて折り返されたコーナー折返し部６２が形成され、該コーナー折返し部６２が上側係合溝４２の上面４８に弾力的に当接するような構成としてもよい。
【０１３４】
また、実施例７においては、下側係合部１０２を、左右の係合用折返し片１０３と中央の弾接用折返し片１０４から成る構成としたが、逆に、図示はしないが、左右の弾接用折返し片と中央の係合用折返し折返し片から成る構成としてもよい。なお、さらに多くの切り込みを入れて、複数の係合用折返し折返し片と弾接用折返し片を交互に並ぶように形成してもよい。
【０１３５】
以上、本発明に係るタイルの取付構造及びタイル取付具を実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【０１３６】
上記構成の本発明に係るタイルの取付構造及びタイル取付具は、建物の構造壁面に固定される各種のタイル、サイディングボード等の外装部材、屋根部材等の取付のためにも適用可能である。
【符号の説明】
【０１３７】
１  タイルの取付構造                        
２  建物の構造壁面                          
３  固定具（ボルト等）                      
６  取付板                                  
７  タイル                                  
８  係合溝                                  
１１  タイル取付具                          
１２  タイルの裏面                          
１３  取付板の受け部
１４  取付板の受け部の係止部（下方折返し部）                      
１６  取付板の長孔                          
１７  タイル取付具本体                      
１８  タイル取付具のフック部                
２１  タイル取付具本体の上側係合部          
２２  タイル取付具本体の垂直部              
２３  タイル取付具本体の垂直部の延長線      
２６  タイル取付具本体の下側係合部          
２７  切り込み                    
２８  左右の係合用折返し片                    
２９  中央の弾接用折返し片                      
３１  フック部の固定部
３２  フック部の水平部                      
３３  フック部の垂直部                      
３４  フック部の垂直部の係合部（上方折返し部）
３５  フック部の角部  
３６  スポット溶接部                        
３７  変形例のタイル取付具                  
３８  変形例のタイル取付具本体の垂直部          
４１  変形例のタイル取付具のフック部          
４２  タイルの上側係合溝                    
４３  タイルの下側係合溝                    
４６  上側係合溝の最深部                    
４８  上側係合溝の傾斜上面                  
４９  上側係合溝の傾斜下面 
５１  タイルの下側係合溝の傾斜上面          
５２  タイルの下側係合溝の傾斜下面          
５３  タイルの下側係合溝の最深部 
６１  タイル取付具
６２  コーナー折返し部
６７  のタイル取付具
６８  下側係合部
７１  中央の係合用折返し片
７２  左右の弾接用折返し片
７７  タイル取付具
８１  タイル取付具
８２  下側係合部
８３  上側係合部
８６  左右の係合用傾斜片
８７  中央の弾接用傾斜片
９０  タイル取付具
９１  上側係合部
９２  係合用傾斜片
９３  弾接用傾斜片
９６  タイル取付具
９７  コーナー折返し部
１０１  タイル取付具
１０２  タイル取付具本体の下側係合部
１０３  左右の係合用折返し片
１０４  中央の弾接用折返し片
１０７  左右の係合用折返し片の底部
１０８  左右の係合用折返し片の立ち上がり部
１１０  中央の弾接用折返し片の底部
１１１  中央の弾接用折返し片の立ち上がり部
１１２  水平線
【図１】
2013124488.tif 000003
【図２】
2013124488.tif 000004
【図３】
2013124488.tif 000005
【図４】
2013124488.tif 000006
【図５】
2013124488.tif 000007
【図６】
2013124488.tif 000008
【図７】
2013124488.tif 000009
【図８】
2013124488.tif 000010
【図９】
2013124488.tif 000011
【図１０】
2013124488.tif 000012
【図１１】
2013124488.tif 000013
【図１２】
2013124488.tif 000014
【図１３】
2013124488.tif 000015
【図１４】
2013124488.tif 000016